(57)【要約】【課題】ある広告主が提供した視覚的な印刷内容に対応して他の広告主が広告を埋め込んだ二次元コードを印刷できるよう、広告主同士を仲介する。【解決手段】第１広告情報Ｉ１に含まれる第１広告関連情報と第２広告情報Ｉ２に含まれる第２広告関連情報とを比較し、第２広告関連情報に一致する第１広告関連情報を有する第１広告情報Ｉ１を抽出し、両者を対応づけてメモリに記憶する。第１広告情報Ｉ１に含まれる第１広告内容情報Ｉ１’と第２広告情報Ｉ２に含まれる第２広告内容情報Ｉ２’を埋め込んだ二次元コードデータとを合成し、第１広告内容情報Ｉ１’に二次元コードを付随させてプリントするプリントデータＩ４を作成する。プリントデータＩ４に従って得られたプリント物には二次元コードが第１広告内容情報Ｉ１’に付随してプリントされている。【選択図】  図３
2005275785.tif 000002
【特許請求の範囲】
【請求項１】
第１広告内容を示す画像がプリントされたプリント物によって広告を行う複数の第１広告主と、前記プリント物内にプリントされた二次元コードによって第２広告内容を広告する複数の第２広告主との仲介を行う広告仲介システムであって、
前記第１広告主の識別情報と、前記第１広告内容を文字で表現する第１広告関連データとを対応づけた第１広告データを記憶する第１記憶手段と、
前記第２広告主の識別情報と、前記第２広告内容を文字で表現する第２広告関連データとを対応づけた第２広告データを記憶する第２記憶手段と、
前記第１記憶手段及び前記第２記憶手段から、前記第１広告関連データと前記第２広告関連データとが適合する第１広告データ及び第２広告データにそれぞれ含まれる第１広告主の識別情報及び第２広告主の識別情報を抽出する抽出手段と、
を備える広告仲介システム。
【請求項２】
前記第１記憶手段は、前記第１広告主の識別情報と前記画像を表現する画像データとを対応づけて記憶し、
前記第２記憶手段は、前記第２広告主の識別情報と前記第２広告内容を表現する第２広告内容データとを対応づけて記憶し、
前記抽出された第２広告主の識別情報に対応する第２広告内容データから二次元コードを生成する二次元コード生成手段と、
前記抽出された第１広告主の識別情報に対応する画像データと前記二次元コードとを合成し、前記画像に前記二次元コードを付随させてプリントするプリントデータを生成する合成手段と、
前記プリントデータをプリンタに出力する出力手段と、
をさらに備える請求項１に記載の広告仲介システム。
【請求項３】
前記第２広告関連データは前記第２広告内容データに含まれる請求項２に記載の広告仲介システム。
【発明の詳細な説明】
【技術分野】
【０００１】
本発明は、広告主同士を仲介するシステムに係り、特にある者の広告内容と他の者の広告内容とを１つの広告媒体にプリントするための仲介を行うシステムに関する。
【背景技術】
【０００２】
印刷物などに二次元コードを印刷する従来技術としては、例えば特許文献１及び２に記載のものがある。特許文献１によると、片側に写真画像を有する写真支持体を含む写真プリントにおいて、写真支持体の写真画像の反対側に二次元可変データコードが記憶される。コード化されたデータは目に見えずセンサーにより読み取り可能である。特許文献２によると、照明された場合に差分光パターンを形成する材料により表現されるデータをその表面に有する物品（例えば写真紙）において、データの下側にある物品の表面の少なくとも一部の吸光度がデータが読み取られる条件のもとではデータを構成している材料の吸光度と異なっている。
【特許文献１】特開２０００−２２１６３７号公報
【特許文献２】特開２０００−２０７５１２号公報
【発明の開示】
【発明が解決しようとする課題】
【０００３】
ところで、ある広告主が提供した視覚的な内容の印刷された広告媒体に、その内容と関連性を有する他の広告主が提供した広告を埋め込んだ二次元コードを印刷すれば、異なる広告主同士が１つの広告媒体を有効に利用できると考えられる。ところが、特許文献１及び２には、視覚的な印刷内容と関連性を有するが印刷内容の提供者と異なる者が提供した情報を埋め込んだ二次元コードを印刷する技術については何ら記述されていない。本発明はこのような問題点に鑑みてなされたもので、ある広告主が提供した視覚的な印刷内容に対応して他の広告主が広告を埋め込んだ二次元コードを印刷できるよう、広告主同士を仲介するシステムを提供することを目的とする。
【課題を解決するための手段】
【０００４】
上述の課題を解決するため、請求項１に係る発明は、第１広告内容を示す画像がプリントされたプリント物によって広告を行う複数の第１広告主と、前記プリント物内にプリントされた二次元コードによって第２広告内容を広告する複数の第２広告主との仲介を行う広告仲介システムであって、前記第１広告主の識別情報と、前記第１広告内容を文字で表現する第１広告関連データとを対応づけた第１広告データを記憶する第１記憶手段と、前記第２広告主の識別情報と、前記第２広告内容を文字で表現する第２広告関連データとを対応づけた第２広告データを記憶する第２記憶手段と、前記第１記憶手段及び前記第２記憶手段から、前記第１広告関連データと前記第２広告関連データとが適合する第１広告データ及び第２広告データにそれぞれ含まれる第１広告主の識別情報及び第２広告主の識別情報を抽出する抽出手段と、を備える。
【０００５】
この発明によると、第１広告内容を文字で表現する第１広告関連データと、第２広告内容を文字で表現する第２広告関連データとに基づき、第１広告関連データと第２広告関連データとが適合する第１広告主の識別情報及び第２広告主の識別情報が抽出される。抽出された第１広告主の識別情報で特定される第１広告主の提供する第１広告内容とともに、抽出された第２広告主の識別情報で特定される第２広告主の提供する第２広告内容を埋め込んだ二次元コードをプリントすれば、第１広告主は第１広告内容を画像として、第２広告主は第２広告内容を二次元コードとして１つのプリント物内に提供できる。
【０００６】
請求項２に係る発明は、請求項１に記載の広告仲介サーバにおいて、前記第１記憶手段は、前記第１広告主の識別情報と前記画像を表現する画像データとを対応づけて記憶し、  前記第２記憶手段は、前記第２広告主の識別情報と前記第２広告内容を表現する第２広告内容データとを対応づけて記憶し、前記抽出された第２広告主の識別情報に対応する第２広告内容データから二次元コードを生成する二次元コード生成手段と、前記抽出された第１広告主の識別情報に対応する画像データと前記二次元コードとを合成し、前記画像に前記二次元コードを付随させてプリントするプリントデータを生成する合成手段と、前記プリントデータをプリンタに出力する出力手段と、をさらに備える。
【０００７】
第１広告内容とともに、第１広告内容に適合する情報を埋め込んだ二次元コードをプリントすることで、第１広告内容に対応した情報を二次元コードで提供できる。
【０００８】
請求項３に係る発明は、請求項２に記載の広告仲介システムにおいて、前記第２広告関連データは前記第２広告内容データに含まれる。
【０００９】
第２広告内容データが文字データであれば、第２広告内容データ及び第２広告関連データ両者とも文字を表現するデータであるため、必ずしも両者を区別する必要はなく、第２広告内容データが第２広告関連データを含んでいてもよい。
【発明の効果】
【００１０】
この発明によると、第１広告内容を文字で表現する第１広告関連データと、第２広告内容を文字で表現する第２広告関連データとに基づき、第１広告関連データと第２広告関連データとが適合する第１広告主の識別情報及び第２広告主の識別情報が抽出される。抽出された第１広告主の識別情報で特定される第１広告主の提供する第１広告内容とともに、抽出された第２広告主の識別情報で特定される第２広告主の提供する第２広告内容を埋め込んだ二次元コードをプリントすれば、第１広告主は第１広告内容を画像として、第２広告主は第２広告内容を二次元コードとして１つのプリント物内に提供できる。
【発明を実施するための最良の形態】
【００１１】
＜第１実施形態＞
以下、添付した図面を参照し本発明の好ましい実施の形態を説明する。図１は、本発明の好ましい実施形態に係る広告仲介システムのブロック構成図である。このシステムは、第１広告主端末１と、第２広告主端末２と、仲介サーバ３とを備えている。本発明の仲介サーバ３は、第２広告主端末２から送信した広告内容を、これに適合する第１広告主端末１から送信した広告内容に合成してプリンタ５でプリントするデータを作成する。仲介サーバ３はパソコンサーバで構成可能である。仲介サーバ３は作成したプリントデータをＬＡＮやインターネットなどのネットワーク経由でプリントサーバ４に出力し、プリントサーバ４は仲介サーバ３から受信したプリントデータをスプール処理してプリンタ５に出力する。仲介サーバ３あるいはプリンタ５がスプール機能を有している場合はプリンタ５を仲介サーバ３のパラレルポートなどに直接接続してもよい。パソコンで構成可能な第１広告主端末１及び第２広告主端末２はネットワーク経由で仲介サーバ３と接続されている。
【００１２】
第１広告主端末１は入力部１１、送受信部１２、処理部１３、表示部１４及び操作部１５を有している。各部の機能を概説すると、入力部１１は画像データ、テキストデータ等の各種データの入力を受け付けるデータ入力インターフェースであり、記録媒体データ読み取り装置、ＵＳＢ（Universal Serial Bus）などから構成される。送受信部１２は、ネットワークにデータを送信あるいはネットワークからデータを受信するネットワークインターフェースである。送受信部１２にはＩＰアドレスなどの識別情報が付与されており、送受信部１２から送信されるデータにはこの識別情報がヘッダ部分などに付与される。即ち、送受信部１２からデータを受信する仲介サーバ３は、第１広告主端末１が複数存在しても、どの第１広告主端末１から送信されたデータかを識別できる。説明の簡略のため、送受信部１２の識別情報と第１広告主端末のユーザ（第１広告主という）の識別情報とを同視し、以下この識別情報を第１広告主識別情報という。処理部１３は、各種演算処理を行い、ＣＰＵとＲＡＭやＲＯＭ等の半導体記憶装置とからなる。処理部１３は、入力部１１、送受信部１２、表示部１４及び操作部１５と接続されており、各部の制御も行う。表示部１４は、図示しない液晶ディスプレイなどに表示するデータを出力する。操作部１５は、キーボードやマウスなどの操作入力を受け付ける装置である。第２広告主端末２は入力部２１、送受信部２２、処理部２３、表示部２４及び操作部２５を有しているが、これらの機能はそれぞれ第１広告主端末１の入力部１１、送受信部１２、処理部１３、表示部１４及び操作部１５と同様であるので説明を省略する。説明の簡略のため、送受信部２２の識別情報と第２広告主端末２のユーザ（第２広告主という）の識別情報とを同視し、以下この識別情報を第２広告主識別情報という。上述のように第２広告主端末２は複数存在しても第２広告主識別情報で各々識別できる。図１では第１広告主端末１及び第２広告主端末２は１つだけしか図示していないが、第１広告主識別情報、第２広告主識別情報で識別できる複数の第１広告主端末１及び第２広告主端末２が仲介サーバ３に接続されていてもよい。
【００１３】
仲介サーバ３は、処理部３０と送受信部３１とデータベース（ＤＢ）３２とを有している。処理部３０は各種演算処理を行い、ＣＰＵとＲＡＭやＲＯＭ等の半導体記憶装置とからなる。送受信部３１はネットワークにデータを送信あるいはネットワークからデータを受信するネットワークインターフェースである。ＤＢ３２は例えばリレーショナル型のデータベースである。処理部３０は、送受信部３１及びＤＢ３２と接続されており、各部の制御を行う。処理部３０は、ＤＢ制御部３３、二次元コード生成部３４、広告合成部３５及び仲介部３６を有している。この各部は処理部３０の半導体記憶装置に記憶されたプログラムであり、ＣＰＵにより実行される。ＤＢ制御部３３は、ＤＢ３２へのデータ格納、ＤＢ３２に記憶されているデータの追加、更新、削除、検索、抽出といったデータベースエンジン機能を有する。二次元コード生成部３４は、ＱＲ（Quick Response）コードなどの二次元コードをプリンタ５にプリントさせるデータを作成する。二次元コードに埋め込まれる情報は第２広告主端末２から指示される広告内容である。二次元コードに埋め込まれた情報は二次元コードリーダーで読み取ることができる。広告合成部３５は、第１広告主端末１から送信された視覚的な広告内容と二次元コードとをプリントデータとして合成する。図４はプリンタ５が広告合成部３５の成したプリントデータに基づいてプリントを行って得たプリント物の一例を示す。このプリント物には第１広告主端末１から入力された所定の視覚的表現からなる広告Ａと所定の広告情報が埋め込まれた二次元コードａ、ｂが印刷されている。二次元コードａ、ｂに埋め込まれた広告内容は、図４のように広告Ａに付随させた上でプリント物として流通させると広告の効果が得られるような内容である。後述するが、二次元コードａ、ｂを付随させたい広告Ａは第２広告主端末２から任意に選択できる。
【００１４】
図２は、ＤＢ３２に記憶されるデータの概念説明図である。図２（ａ）に示すように、ＤＢ３２には、第１広告主端末１から送信された第１広告主識別情報、第１広告関連情報及び第１広告内容情報が対応づけて記憶される。本実施形態において、第１広告内容情報は、視覚的な広告内容として好ましい一態様である画像データであるが、テキストデータなどその他の視覚的内容を表現するデータであってもよい。画像データは上述のように入力部１１から入力されるが、その画像データは広告Ａ１の所定の広告内容を示している。即ち、第１広告主端末１のユーザである第１広告主は、画像による視覚的な広告を目的とした内容を表現する画像データを入力部１１から入力する。なお、第１広告内容情報は所定の視覚的な広告内容を示すデータであり、入力部１１あるいは操作部１５から入力できるデータであれば画像データ以外であってもよく、例えば操作部１５から入力されたテキストデータであってもよい。第１広告関連情報とは第１広告内容情報の表現する広告内容をキーワードで端的に示した情報であり、第１広告関連情報の入力の際に操作部１５から入力される。第１広告関連情報は１つの第１広告内容情報に対して複数入力可能であり、各第１広告関連情報は優先順位が付与されている。図２（ａ）に示す一例では、３つの第１広告関連情報を優先順位「情報１」、「情報２」、「情報３」に従って入力できる。例えば、図２（ａ）に示すファイル名image1.jpgの第１広告関連情報の広告（この第１広告関連情報の表現内容は図４のＡとする）の目的とする広告対象は、カメラＯ１、腕の細い女性Ｏ２、紫色の服Ｏ３であるが、第１広告主であるＡ社は操作部１５から優先順位１の第１広告関連情報として「カメラ」、優先順位２の第１広告関連情報として「腕の細い女性」、優先順位３の第１広告関連情報として「紫色の洋服」を入力している。第１広告関連情報の優先順位は、第１広告内容情報で表現する広告内容に関連する複数の広告題材の重要度を第１広告主の主観に従って規定するものである。例えば、図４のプリント物の広告内容Ａにおいて、第１広告主がカメラＯ１の広告を主たる目的とするものであると認識していれば、優先順位１の第１広告関連情報には「カメラ」と入力し、「腕が細い女性」Ｏ２や「紫色の洋服」Ｏ３を副次的に広告題材として使用できると考えるのであれば、優先順位２・３の第１広告関連情報として「腕が細い女性」、「紫色の洋服」を入力することになる。後述のように、第１広告関連情報の優先順位は、仲介部３６が第１広告関連情報と第２広告関連情報との適合度を判定する際の判定基準とすることもできる。入力部１１などから入力された第１広告内容情報及び操作部１５から入力された第１広告関連情報には第１広告主識別情報が付与されて送受信部１２から仲介サーバ３に送信される。仲介サーバ３は第１広告主識別情報と第１広告内容情報と第１広告関連情報とを送受信部３１により受信し、ＤＢ制御部３３はそれらを対応づけてＤＢ３２に記憶する。以下、第１広告主識別情報と第１広告内容情報と第１広告関連情報とが対応づけられた情報を第１広告情報という。
【００１５】
一方、図２（ｂ）に示すように、ＤＢ３２には、第２広告主が意図する広告内容、具体的には二次元コードａ、ｂに埋め込む情報である第２広告内容情報と、第２広告内容情報を付随させるべき第１広告内容情報を指定する情報である第２広告関連情報とが第２広告主識別情報とともに対応づけて記憶されている。第２広告関連情報は１つの第２広告内容情報に対して複数入力可能であり、各第２広告関連情報には優先順位が付与されている。例えば、図２（ｂ）に示すように、第２広告主であるａ社は操作部２５から第２広告内容情報として「モデル派遣はａ社へ」（この情報は図４の二次元コードａに埋め込まれる）を入力している。また、第２広告主であるａ社は、優先順位１の第２広告関連情報として「腕が細い女性」、優先順位２の第２広告関連情報として「足が細い女性」、優先順位３の第１広告関連情報として「白い肌」を入力している。同様に、ａ社と異なる第２広告主であるｂ社は操作部２５から第２広告内容情報としてＵＲＬのハイパーリンク「http://www.b-sha.com」（この情報は図４の二次元コードｂに埋め込まれる）、優先順位１の第２広告関連情報として「紫色の洋服」、優先順位２の第２広告関連情報として「青色の靴」、優先順位３の第１広告関連情報として「赤色の帽子」を入力している。入力部２１や操作部２５から入力された第２広告関連情報及び第２広告内容情報には第２広告主識別情報が付与されて送受信部２２から仲介サーバ３に送信される。仲介サーバ３は第２広告主識別情報と第２広告関連情報と第２広告内容情報とを送受信部３１により受信し、ＤＢ制御部３３はそれらを対応づけてＤＢ３２に記憶する。第２広告主識別情報と第２広告関連情報と第２広告内容情報とが対応づけられた情報を第２広告情報という。図２（ｂ）では、第２広告関連情報と第２広告内容情報が区別されて図示されているが、両者とも文字で表現される情報であるため、必ずしも両者を区別する必要はなく、第２広告内容情報が第２広告関連情報を含んでいてもよい。
【００１６】
［処理の流れ］
以下、図３のフローチャートに基づき、本システムで実行される処理の流れを説明する。Ｓ１では、第１広告主端末１は、入力部１１などから第１広告内容情報の入力、操作部１５から第１広告関連情報の入力を受け付ける。処理部１３は、第１広告内容情報及び第１広告関連情報の入力を受け付けると、送受信部１２を制御し、第１広告内容情報及び第１広告関連情報に第１広告主識別情報を付与した第１広告情報Ｉ１を仲介サーバ３に送信する。Ｓ２では、送受信部３１が第１広告情報Ｉ１を受信した場合、ＤＢ制御部３３はＤＢ３２に第１広告情報Ｉ１を記憶させる。Ｓ３では、第２広告主端末２は入力部２１や操作部２５から第２広告内容及び情報第２広告関連情報の入力を受け付ける。処理部２３は、第２広告内容情報及び第２広告関連情報の入力を受け付けると、送受信部２２を制御し、第２広告内容情報及び第２広告関連情報に第２広告主識別情報を付与した第２広告情報Ｉ２を仲介サーバ３に送信する。Ｓ４では、送受信部３１が第２広告情報Ｉ２を受信した場合、ＤＢ制御部３３はＤＢ３２に第１広告情報Ｉ２を記憶させる。
【００１７】
Ｓ５では、仲介部３６は、ＤＢ制御部３３を用いて、ＤＢ３２に記憶されている第１広告関連情報とＳ３で送信された第２広告情報Ｉ２に含まれる第２広告関連情報とを比較し、第２広告情報Ｉ２に含まれる第２広告関連情報に一致する第１広告関連情報を有する第１広告情報Ｉ１を抽出し、両者を対応づけて図示しない半導体記憶装置（メモリ）に記憶する。ここで、一致するとは、第１広告関連情報と第２広告関連情報とが完全に一致する場合と部分一致の両方を含む。以下、第１広告関連情報と第２広告関連情報とがこのような一致する関係にある場合、両者が適合するという。第２広告情報Ｉ２に含まれる第２広告関連情報に一致する第１広告関連情報を有する第１広告情報Ｉ１が複数抽出される場合は、第２広告情報Ｉ２に全ての第１広告情報を対応づけて記憶する。即ち、１つの第２広告情報Ｉ２に１又は複数の第１広告情報Ｉ１が対応づけられて記憶される。例えば、図２に示すような第１広告情報及び第２広告情報がＤＢ３２に記憶されている場合、ａ社の優先順位１の第２広告関連情報「腕が細い女性」はＡ社の優先順位２の第１広告関連情報「腕が細い女性」及びＣ社の優先順位３の第１広告関連情報「腕が細い女性」と一致するため、Ａ社の第１広告主識別情報を含む第１広告情報及びＣ社の第１広告主識別情報を含む第１広告情報がａ社の第２広告主識別情報を含む第２広告情報と対応づけられてメモリに記憶される。一致する第１広告関連情報が全く存在しない場合はその旨を第２広告主端末２に通知してもよい。
【００１８】
Ｓ６では、送受信部３１は、Ｓ５で記憶された第２広告情報Ｉ２に対応する全ての第１広告情報Ｉ１に含まれる第１広告内容情報Ｉ１’を第２広告主端末２に送信する。Ｓ７では、第１広告内容情報Ｉ１’を送受信部２２により受信し、第１広告内容情報Ｉ１’を表示部２４で表示させる。そして、Ｓ３で送信した第２広告情報Ｉ２に含まれる第２広告内容情報Ｉ２’を付随してプリントさせる第１広告内容情報を、表示された第１広告内容情報Ｉ１’の中から操作部２５により１つ選択させる。Ｓ８では、送受信部２２は、その選択結果Ａ２を仲介サーバ３に通知する。通知は選択された第１広告内容情報を第１広告情報Ｉ１から特定できる情報を含んでおり、例えば「image1.jpg」などの画像ファイル名を含んでいる。Ｓ９では、仲介サーバ３は、通知された選択結果Ａ２で特定される第１広告内容情報を含む第１広告情報Ｉ１とこの第１広告情報Ｉ１に含まれる第１広告関連情報に適合する第２広告関連情報を含む第２広告情報Ｉ２とを対応づけてメモリに記憶する。上記の処理ステップＳ４〜Ｓ９は、第２広告主端末２から新たな第２広告情報Ｉ２を受信する都度実行される。即ち、このステップＳ４〜Ｓ９が第２広告情報Ｉ２の受信の都度繰り返されることにより、１つの第１広告情報Ｉ１に１又は複数の第２広告情報Ｉ２が対応づけられて記憶される。例えば、図２に示すような第１広告情報及び第２広告情報がＤＢ３２に記憶されている場合、ａ社の優先順位１の第２広告関連情報「腕が細い女性」はＡ社の優先順位２の第１広告関連情報「腕が細い女性」と一致するため、Ａ社の第１広告情報とａ社の第２広告情報とが対応づけられてメモリに記憶される。加えて、ｂ社の優先順位１の第２広告関連情報「紫色の洋服」はＡ社の優先順位３の第１広告関連情報「紫色の洋服」と一致するため、Ａ社の第１広告情報にはｂ社の第２広告情報も対応づけられてメモリに記憶される。
【００１９】
なお、１つの第１広告情報に対応させる第２広告情報の数を所定数に制限したい場合は、同一の内容の第２広告関連情報を同一の優先順位で複数記憶できないようＤＢ３２の記憶に制限をかけたうえ、互いに一致する第１広告関連情報及び第２広告関連情報に付与されている優先順位の大小に応じ、１つの第１広告情報に対応させる第２広告情報の数を制限できる。例えば、Ａ社の１つの第１広告情報には１つの第２広告情報だけを対応させたい場合、ａ社の第２広告関連情報「腕が細い女性」はＡ社の第１広告主情報では優先順位２であり、ｂ社の第２広告関連情報「紫色の洋服」はＡ社の第１広告主情報では優先順位３であるため、ａ社の第２広告情報のみを優先させて対応させることができる。一方、同一の内容の第２広告関連情報は同一の優先順位で複数記憶されないため、図２（ｂ）のようにａ社の優先順位１の第２広告関連情報「腕が細い女性」が先に記憶されている場合、その他の広告主（例えばｃ社）は第２広告関連情報「腕が細い女性」を優先順位１に記憶させることはできず、優先順位２又は３の第２広告関連情報として記憶させるほかない。ａ社の第２広告関連情報「腕が細い女性」が優先順位１であり、ｃ社の第２広告関連情報「腕が細い女性」が優先順位２である場合、ａ社の第２広告情報のみを優先させてＡ社の第１広告情報と対応させることができる。同様にして、１つの第１広告情報に対応させる第２広告情報の数を２つあるいは３つまでに制限できる。また、同様にして、第１広告関連情報、第２広告関連情報の優先順位の数を４以上の数ｎに増やせば１つの第１広告情報に対応させる第２広告情報の数をｎまでに制限できる。
【００２０】
Ｓ１０では、仲介サーバ３は、Ｓ９で記憶された第１広告情報Ｉ１に対応する全ての第２広告情報Ｉ２に含まれる第２広告内容情報Ｉ２’を第１広告主端末１に送信する。この処理ステップＳ１０は、１つの第１広告情報Ｉ１に対応する第２広告情報Ｉ２の数が所定数（例えば２つ）に達した場合に実行すれば、一つの広告Ａに過大な数の二次元コードが付随してプリントされるのを防ぐことができる。Ｓ１１では、送受信部１２により第２広告内容情報Ｉ２’を受信し、表示部１４で第２広告内容情報Ｉ２’を表示させる。そして、Ｓ１で送信した第１広告情報に含まれる第１広告内容情報（簡略のため、以下Ｉ１’で表す）に第２広告内容情報Ｉ２’を付随させてプリントしてもよいか否かの確認を操作部１５から入力させる。Ｓ１２では、送受信部１２は、その入力結果Ａ１を仲介サーバ３に通知する。
【００２１】
Ｓ１３では、第１広告内容情報Ｉ１’に第２広告内容情報Ｉ２’を付随させてプリントしてもよい旨の確認Ａ１が第１広告主端末１から通知された場合、二次元コード生成部３４は、第２広告内容情報Ｉ２’を埋め込んだ二次元コードを表現するデータである二次元コードデータを生成する。Ｓ１４では、第１広告内容情報Ｉ１’と二次元コードデータとを合成し、第１広告内容情報Ｉ１’に二次元コードを付随させてプリントするプリントデータＩ４を作成する。Ｓ１５では、プリントデータＩ４をプリントサーバ４に送信する。プリントサーバ４はプリントデータＩ４をプリンタ５に出力し、プリンタはプリントデータＩ４に従ってプリント物を出力する。
【００２２】
なお、以上の処理ステップＳ２、４、５、６、９、１０、１３〜１５を実行するプログラムは仲介サーバ３の図示しない半導体記憶装置などに記憶されている。
【００２３】
例えば、図２に示すような第１広告情報及び第２広告情報がＤＢ３２に記憶されている場合、上述したように、Ａ社の第１広告情報はａ社の第１広告関連情報「腕が細い女性」を含む第２広告情報、及びｂ社の第２広告関連情報「紫色の洋服」を含む第２広告情報が対応づけられてメモリに記憶される。このため、図４に示すように、プリントデータＩ４に従って得られたプリント物には２つの二次元コードａ、ｂがＡ社の広告Ａに付随してプリントされる。画像Ａはファイル名「image1.jpg」の第１広告内容情報に由来しており、二次元コードａには第２広告内容情報「モデル派遣はａ社へ」が埋め込まれており、二次元コードｂには第２広告内容情報「http://www.b-sha.com」が埋め込まれている。このプリント物の受け手は、画像Ａの内容に関連する広告を二次元コードａ、ｂを読み取るコードリーダーから入手できる。
【００２４】
以上の処理により、第２広告主端末１から第２広告情報が送信されると、第２広告情報に含まれる第２広告関連情報と適合する第１広告関連情報を含む第１広告情報が抽出され、第２広告内容情報を付随させるのにふさわしい第１広告情報を選択できる。選択された第１広告情報は第２広告情報と対応づけて記憶され、第１広告情報を送信した第１広告主端末１には自ら送信した第１広告情報に対応する第２広告内容情報が送信される。自分の第１広告内容情報に第２広告内容情報を付随させてプリントしてもよい旨の確認入力を行うと、第１広告内容情報に第２広告内容情報の埋め込まれた二次元コードが付随してプリントされる。即ち、第１広告主の広告内容に付随させたい広告内容を第２広告主が送信すれば、それに適した第１広告主の広告内容が自動的に抽出され、付随させると最も効果の高い広告内容を直ちに把握することができる。なお、Ｓ１２で確認情報Ａ１を送信した場合、第１広告主端末から第２広告主端末に対して所定の手数料を電子決済することも可能である。この場合、第１広告主は、自分の広告に第２広告主の広告の付随を許可することで利益を得ることができる。同様に、Ｓ１５でプリントデータＩ４を送信した場合、仲介サーバ３から第１広告主端末又は第２広告主端末に対して所定の手数料を電子決済することも可能である。この場合、仲介サーバ３の管理者は、第１広告内容情報に第２広告内容情報を付随させてプリントした対価を得ることができる。一方、第１広告主及び第２広告主は、仲介サーバ３から決済されたプリント対価を折半することも可能であり、こうすることで互いにプリントのコストを抑えることができる。
【００２５】
＜その他の実施形態＞
第１実施形態において、第１広告内容情報は第１広告主識別情報及び第１広告関連情報と対応づけられてＤＢ３２に記憶されているが、第１広告内容情報は第１広告主識別情報と対応づけて仲介サーバ３以外のサーバのデータベースに記憶してもよく、必ずしも仲介サーバ３で第１広告関連情報と第１広告内容情報とを対応づけて記憶する必要はない。また、第２広告内容情報は第２広告主識別情報及び第２広告関連情報と対応づけられてＤＢ３２に記憶されているが、第２広告内容情報は第２広告主識別情報と対応づけて仲介サーバ３以外のサーバのデータベースに記憶してもよく、必ずしも仲介サーバ３で第２広告関連情報と第２広告内容情報とを対応づけて記憶する必要はない。
【００２６】
具体的には、上述の処理ステップＳ２では、仲介サーバ３が第１広告主識別情報と第１広告関連情報とを対応づけて記憶し、かつ仲介サーバ３以外のサーバ（以下、便宜上広告内容管理サーバという）が第１広告主識別情報と第１広告内容情報を対応づけて記憶すればよい。また、Ｓ４では、仲介サーバ３が第２広告主識別情報と第２広告関連情報とを対応づけて記憶し、かつ広告内容管理サーバが第２広告主識別情報と第２広告内容情報を対応づけて記憶すればよい。Ｓ５では、仲介サーバ３は第２広告情報Ｉ２に含まれる第２広告関連情報に一致する第１広告関連情報に対応する第１広告主識別情報を抽出し、抽出された第１広告主識別情報に対応する第１広告内容情報Ｉ１’を広告内容管理サーバに記憶させ、Ｓ６では、第１広告内容情報Ｉ１’を広告内容管理サーバから第２広告主端末２に送信させればよい。Ｓ９では、広告内容管理サーバは、通知された選択結果Ａ２で特定される第１広告内容情報Ｉ１’とこの第１広告内容情報Ｉ１’とＳ５で規定された対応を有する第２広告情報Ｉ２に含まれる第２広告内容情報Ｉ２’と対応づけてメモリに記憶し、Ｓ１０では対応する第１広告内容情報Ｉ１’と第２広告内容情報Ｉ２’とを第１広告主端末１に送信すればよい。
【図面の簡単な説明】
【００２７】
【図１】本発明の好ましい実施形態に係る広告仲介システムのブロック構成図
【図２】データベースに記憶される第１広告情報及び第２広告情報の概念図
【図３】広告仲介システムで実行される処理の流れを示すフローチャート
【図４】プリント物の外観図
【符号の説明】
【００２８】
１：第１広告主端末、２：第２広告主端末、３：仲介サーバ
【図１】
2005275785.tif 000003
【図２】
2005275785.tif 000004
【図３】
2005275785.tif 000005
【図４】
2005275785.tif 000006